(57)【特許請求の範囲】
【請求項１】
複数の携帯電話端末からの申請により該端末の位置情報及び該申請の時間を記録する位置情報データベースと、
前記複数の携帯電話端末の内の任意の一つの携帯電話端末から申請された最大距離及び最大時間を記録する設定ファイルと、
前記位置情報が前記最大距離の範囲内で、かつ前記申請の時間と現在時間との差が前記最大時間より小さい携帯電話端末を前記位置情報データベースに記録された前記複数の携帯電話端末から検索し、
前記任意の一つの携帯電話端末に、該検索された携帯電話端末が近距離に存在する旨の通知を行う近距離者通知部を備えたことを特徴とする携帯電話システム用サーバ。
【請求項２】
複数の携帯電話端末からの申請により該端末の位置情報及び該申請の時間を記録する位置情報データベースと、
前記携帯電話端末の内の任意の一つの携帯電話端末から申請された最大距離及び最大時間を記録する設定ファイルと、
前記位置情報が前記最大距離の範囲内で、かつ前記申請の時間と現在時間との差が前記最大時間より小さい携帯電話端末を前記位置情報データベースに記録された前記複数の携帯電話端末から検索し、
前記任意の一つの携帯電話端末に、該検索された携帯電話端末が近距離に存在する旨の通知を行う近距離者通知部を備え、前記任意の一つの携帯電話端末が申請した時から最大時間が経過すると前記検索を終了することを特徴とする携帯電話システム用サーバ。
【請求項３】
複数の携帯電話端末からの申請により該端末の位置情報及び該申請の時間を記録する位置情報データベースを備えた携帯電話システム用サーバと通信網を介して接続され、前記複数の携帯電話端末の内の任意の一つの携帯電話端末であって、
前記携帯電話システム用サーバに対し、最大距離及び最大時間を申請して記録し、
前記位置情報が前記最大距離の範囲内で、かつ前記申請の時間と現在時間との差が前記最大時間より小さい携帯電話端末を前記位置情報データベースに記録された前記複数の携帯電話端末から検索し、該検索された携帯電話端末が近距離に存在する旨の通知を行うよう設定することを特徴とする携帯電話端末。
【請求項４】
複数の携帯電話端末からの申請により該端末の位置情報及び該申請の時間を記録する位置情報データベースを備えた携帯電話システム用サーバと通信網を介して接続され、前記複数の携帯電話端末の内の任意の一つの携帯電話端末であって、
前記携帯電話システム用サーバに対し、最大距離及び最大時間を申請して記録し、
前記位置情報が前記最大距離の範囲内で、かつ前記申請の時間と現在時間との差が前記最大時間より小さい携帯電話端末を前記位置情報データベースに記録された前記複数の携帯電話端末から検索し、該検索された携帯電話端末が近距離に存在する旨の通知を行うよう設定を行い、前記検索を開始した時点から最大時間が経過すると前記検索を終了することを特徴とする携帯電話端末。
【発明の詳細な説明】
【０００１】
【発明の属する技術分野】
本発明は、外出先で、偶然、知人が近距離にいる場合に、そのことを知りえるシステムに関する。
【０００２】
【従来の技術】
従来の携帯電話端末は、発呼者が受呼者に電話をかけたりメールを送る等能動的に動くことによって作動し、発呼者が能動的に動かない限り作動しなかった。
【０００３】
【発明が解決しようとする課題】
従来の携帯電話端末は、発呼者が能動的に動かない限り作動しないため、知人との連絡が滞りがちであった。そのため、例えば、外出先で、知人と会うことが可能な程近くにいるにも関わらず、そのことを知らないので、知人と会う機会を逃す場合もあった。
【０００４】
本発明は、外出先で、偶然、知人が近距離にいる場合に、そのことを知りえる手段を提供することにより、偶然に知人と容易に出会うことを可能にする。
【０００５】
【課題を解決するための手段】
上記課題を解決するために第１の発明に係る携帯電話システム用サーバは、特定の２台の携帯電話端末が近距離に存在する場合に一方又は双方の携帯電話端末に通知することを特徴とする。
【０００６】
また、第２の発明に係る携帯電話システム用サーバは、第１の発明に加え、更に、複数の基地局から各基地局のエリア内に存在する携帯電話端末の位置情報を記録する位置情報データベースと、前記通知の設定情報を登録する設定ファイルと、前記通知を実行する近距離者通知部とを有することを特徴とする。
【０００７】
また、第３の発明に係る携帯電話システム用サーバは、第１又は第２の発明に加え、更に、前記通知は申請者側の携帯電話端末に行うことを特徴とする。
【０００８】
また、第４の発明に係る携帯電話システム用サーバは、第１又は第２の発明に加え、更に、前記通知は被申請者側の携帯電話端末に行うことを特徴とする。
【０００９】
また、第５の発明に係る携帯電話端末は、通信網を介して携帯電話システム用サーバと接続される携帯電話端末において、前記携帯電話システム用サーバに対して、特定の携帯電話端末が近距離に存在する場合に一方又は双方の携帯電話端末に通知させる設定を行えることを特徴とする。
【００１０】
また、第６の発明に係る携帯電話端末、第５の発明に加え、更に、前記設定は、前記携帯電話システム用サーバ側に前記特定の携帯電話端末の電話番号又はメールアドレスを送信することによって行うことを特徴とする。
【００１１】
【発明の実施の形態】
本発明は、特定の２台の携帯電話端末が近距離に存在する場合に、一方又は双方の携帯電話端末にその旨を知らせる通知がなされることを特徴とする。なお、本発明ではこの通知を近距離者通知と称する。
【００１２】
以下、図面を参照して本発明の実施の形態例を説明する。なお、各図はこの発明を理解できる程度に概略的に示してあるにすぎない。また、各図において、共通する要素については、同一の符号を付し、説明を省略する。
【００１３】
＜第１実施の形態例＞
＜構成＞
図１は本発明のシステム構成図である。図１において、１は携帯電話端末（簡易型携帯電話（ＰＨＳ）やパーソナルデータアシスタント（ＰＤＡ）を含む）である。２は携帯電話網の基地局である。基地局２は携帯電話端末１からの識別信号を受信して携帯電話端末１の位置を管理することができる。３は携帯電話網の近距離者通知センタサーバであり、ネットワークに接続されている。近距離者通知センタサーバ３は、近距離者通知を申請した携帯電話端末（以下、他の端末と区別して説明する場合に、この端末を申請者側携帯電話端末１−ｉと称する）の近距離に近距離者通知の対象となる携帯電話端末（以下、他の端末と区別して説明する場合に、この端末を相手側携帯電話端末１−ｋと称する）がいる場合に一方又は双方に通知する。４は位置情報センタサーバであり、基地局２から携帯電話端末１の位置情報を得る。
【００１４】
図２は携帯電話端末１の機能ブロック図である。図２において、２１は近距離者通知申請部であり、近距離者通知センタサーバ３へ近距離者通知の申請を行う。なお、申請時に入力される情報は、位置情報センタサーバ４において相手側携帯電話端末の電話番号や自身の暗証番号等である。２２は結果受信部であり、近距離者通知センタサーバ３にて近距離に相手側携帯電話端末が検出された場合にその情報を受信する。
【００１５】
図３は近距離者通知センタサーバ３の機能ブロック図である。図３において、３１は近距離者通知受付部であり、携帯電話端末１から近距離者通知の申請を受け付ける。３２は位置情報取得依頼部であり、位置情報センタサーバ４へ携帯電話端末１の位置情報を問い合わせ、携帯電話端末１の位置情報を得る。３３は近距離者検索部であり、後述の位置情報データベース（以下、位置情報ＤＢと称する）３５や通知申請者データベース（以下、通知申請者ＤＢと称する）３６、設定ファイル３７に格納されている情報に基づいて、携帯電話端末１の近距離者通知が設定されている２台の携帯電話端末が近距離にいるのかを検索する。３４は結果通知部であり、近距離者検索部３３により検索された結果を一方又は双方の携帯電話端末１に通知する。
【００１６】
３５は位置情報ＤＢであり、携帯電話端末１−１〜１−ｎの個々の位置情報を格納している。位置情報ＤＢ３５は、例えば図５に示すように、携帯電話端末１−１〜１−ｎの各々に一義的に定められている「ＩＤ」や「名前」、「電話番号」、各携帯電話端末１の「位置情報」、近距離者通知を申請した時の時間である「登録時間」等の情報を格納する。なお、図５は位置情報ＤＢ３５に格納された情報例を示す図である。
【００１７】
３６は通知者ＤＢであり、近距離者通知の受信者側である携帯電話端末１の情報を格納する。通知者ＤＢ３６は、例えば図６に示すように、近距離者通知の受信者側である携帯電話端末１の各々に一義的に定められている「ＩＤ」や「名前」、「電話番号」等の情報を格納する。なお、図６は通知申請者ＤＢ３６に格納された情報例を示す図である。
【００１８】
３７は設定ファイルであり、近距離者検索部３３における検索条件を格納する。設定ファイル３７は、例えば図７に示すように、携帯電話端末1に一義的に定められている「ＩＤ」や「名前」、「電話番号」、近距離者通知センタサーバ３が近距離者通知のための検索を続ける最大時間である「最大時間」（申請者側携帯電話端末１−ｉによる近距離者通知の申請時から検索終了までの時間）、近距離の距離を定義する「最大距離」（携帯電話端末１と相手側携帯電話端末との距離差が「最大距離」以内の場合に近距離と判断する）等の情報により構成される。これらの情報は、携帯電話端末１の所持者が近距離者通知の申請を行う際に申請されたものである。なお、図７は設定ファイル３７に格納された情報例を示す図である。
【００１９】
図４は、携帯電話端末１の位置情報を取得する位置情報センタサーバ４の機能ブロック図である。図４において、４１は位置情報取得依頼受付部であり、近距離者通知センタサーバ３から位置情報取得の依頼を受け付ける。４２は位置情報取得部であり、携帯電話端末１の最寄りの基地局２から携帯電話端末１の位置情報を取得する。４３は位置情報通知部であり、近距離者通知センタサーバ３に携帯電話端末１の位置情報を通知する。
【００２０】
＜動作＞
以下、図８に示すフローチャートに沿って、本実施例の動作を説明する。なお、図８は発明に係るシステムの動作フローチャートである。
【００２１】
Ｓ１：近距離者通知の申請者は、自身が所持する申請者側携帯電話端末１−ｉを用いて近距離者通知センタサーバ３にアクセスし、近距離者通知の申請を行う。この申請は、例えば申請者側携帯電話端末１−ｉの暗証番号や、相手側携帯電話端末１−ｋの電話番号、最大時間、最大距離、近距離者通知の通知先等の情報を送信することによって行われる。なお、このとき、申請者側携帯電話端末１−ｉから近距離者通知センタサーバ３側に申請者側携帯電話端末１−ｉの電話番号やＩＤが自動的に送信される。近距離者通知センタサーバ３側は電話番号やＩＤに基づいて申請者の名前や登録されている暗証番号を割り出し、送信されてきた暗証番号と比較する。暗証番号が一致していたら、近距離者通知センタサーバ３側は申請を受け付け、取得した情報を位置情報ＤＢ３５や通知者ＤＢ３６、設定ファイル３７等に格納する。暗証番号が不一致であれば、申請を受け付けない。
【００２２】
Ｓ２：近距離者通知センタサーバ３は、近距離者通知受付部３１により近距離者通知の申請を受けると、位置情報取得依頼部３２により所定のタイミングで位置情報センタサーバ４に近距離者通知の対象となっているすべての相手側携帯電話端末１−ｋの位置情報の取得を依頼する。
【００２３】
Ｓ３：位置情報センタサーバ４は、位置情報取得依頼受付部４１により近距離者通知センタサーバ３から位置情報取得依頼を受け付けと、位置情報取得部４２により相手側携帯電話端末１−ｋの位置情報を取得する。
【００２４】
Ｓ４：位置情報センタサーバ４は位置情報通知部４３により相手側携帯電話端末１−ｋの位置情報を近距離者通知センタサーバ３に通知する。
【００２５】
Ｓ５：近距離者通知センタサーバ３は、位置情報取得依頼部３２により位置情報センタサーバ４から相手側携帯電話端末１−ｋの位置情報を取得して、それを位置情報ＤＢ３５のフォーマットに変換して位置情報ＤＢ３５に登録する。
【００２６】
Ｓ６：近距離者通知センタサーバ３は、近距離者検索部３３により設定ファイル３７に格納された申請者側携帯電話端末１−ｉから「最大距離」以内にいるすべての相手側携帯電話端末１−ｋを位置情報ＤＢ３５からリストアップする（リスト１）。
【００２７】
Ｓ７：近距離者通知センタサーバ３はリスト１にリストアップされたデータが一つ以上あるかを判定する。データが１つ以上ある場合はＳ８に処理を移し、データが０の場合はＳ１３に処理を移す。
【００２８】
Ｓ８：近距離者通知センタサーバ３は、近距離知者検索部３３によりリスト１から通知者ＤＢ３６に格納されている近距離者通知の対象として申請された電話番号と一致するデータをリストアップする（リスト２）。
【００２９】
Ｓ９：近距離者通知センタサーバ３はリスト２にリストアップされたデータが一つ以上あるかを判定する。データが１つ以上ある場合はＳ１０に処理を移し、データが０の場合はＳ１３に処理１３を移す。
【００３０】
Ｓ１０：近距離者通知センタサーバ３は、近距離知者検索部３３により現時刻と近距離者通知の「申請時間」との差が設定ファイル３７に格納されている「最大時間」より小さいデータをリスト２からリストアップする（リスト３）。
【００３１】
Ｓ１１：近距離者通知センタサーバ３はリスト３にリストアップされたデータが一つ以上あるかを判定する。データが１つ以上ある場合はＳ１２に処理を移し、データが０の場合はＳ１３に処理を移す。
【００３２】
Ｓ１２：近距離者通知センタサーバ２は、結果通知部３４によりリスト３を通知者ＤＢ３６に通知先として指定されている一方又は双方の携帯電話端末１に結果を通知する。なお、このときの通知手段としては、インターネット（電子メール、ＷＷＷ等）による電子メールや、携帯電話網による音声メッセージ等がある。
【００３３】
Ｓ１３：携帯電話端末１は結果受付部２２により近距離者通知センタサーバ３からリスト３を受信する。
【００３４】
Ｓ１４：近距離者通知センタサーバ３は近距離者検索部３３によりＳ５の時点より位置情報ＤＢ３５が更新されている場合はＳ６に処理を移す。更新されていない場合はＳ１５に処理を移す。
【００３５】
Ｓ１５：近距離者通知センタサーバ３は近距離知者検索部３３により現時刻と近距離者通知の「申請時間」との差が設定ファイル２９に格納されている「最大時間」以上の場合はＳ１６に処理を移す。差が「最大時間」以内ならばＳ１４に処理を移す。
【００３６】
Ｓ１６：近距離者通知センタサーバ３は近距離者検索部３３により位置情報ＤＢ３５から申請者側携帯電話端末１−ｉのデータを削除する。
【００３７】
以上の通り、本発明に係る実施の形態の一例を説明したが、本発明は上記の実施の形態例に限定されることなく、本発明の要旨を逸脱しない範囲で種々の応用及び変形が考えられる。
【００３８】
例えば、１台の携帯電話端末１は、近距離者通知に、複数の相手側の携帯電話端末１−ｋを設定することが可能である。
【００３９】
また、例えば、近距離者通知の設定は、近距離者通知センタサーバ３側に相手側の携帯電話端末２−ｋの電話番号を送信することによって行われているが、電話番号の代わりにメールアドレスを送信することによって行うことも可能である。この場合、近距離者通知センタサーバ３側は、メールアドレスから携帯電話端末２−ｋの電話番号やＩＤを割り出して近距離者検索を行うことになる。
【００４０】
また、例えば、近距離者通知センタサーバ３と位置情報センタサーバ４を一体化し、これに伴っていくつかの機能ブロックを削除することも可能である。
【００４１】
また、例えば、近距離者通知機能を基地局２に組み込み、近距離者通知サーバ３を削除することも可能である。
【００４２】
本発明は、このような構成を含むものである。
【００４３】
【発明の効果】
本発明により携帯電話端末１の所持者は偶然自分の近距離にいる知り合いの情報を得ることができる。そのため、携帯電話端末１の所持者は、その知り合いの携帯電話端末１に電話をしたり、電子メールを送信することにより、容易にその知り合いと出会うことが可能になる。または、知り合いの方から連絡をうけることもできる。したがって、本システムにより、意外なところで意外な人物と偶然に出会える機会を提供できる。
【図面の簡単な説明】
【図１】本発明に係るシステムの構成図である。
【図２】携帯電話端末の機能ブロック図である。
【図３】近距離者通知センタサーバの機能ブロック図である。
【図４】位置情報センタサーバの機能ブロック図である。
【図５】位置情報ＤＢに格納された情報例を示す図である。
【図６】通知申請者ＤＢに格納された情報例を示す図である。
【図７】設定ファイルに格納された情報例を示す図である。
【図８】本発明に係るシステムの動作フローチャートである。
【符号の説明】
１−１〜１−ｎ  携帯電話端末
２−１〜２−ｎ  基地局
３  近距離者通知センタサーバ
４  位置情報センタサーバ
【図１】
0003897571.tif 000002
【図２】
0003897571.tif 000003
【図３】
0003897571.tif 000004
【図４】
0003897571.tif 000005
【図５】
0003897571.tif 000006
【図６】
0003897571.tif 000007
【図７】
0003897571.tif 000008
【図８】
0003897571.tif 000009